(57)【特許請求の範囲】
【請求項１】
入力画像に応じた光像を形成し、投影対象に向けて投影する投影手段と、
上記投影手段の投影する画像を撮影する撮影手段と、
上記撮影手段で得た撮影画像により投影画像に対する位置指定を検出する検出手段と、
上記検出手段により一定時間以上同一位置が指定された場合に追加書込みのためのレイアウト編集モードを設定して移行するモード設定手段と、
上記レイアウト編集モード設定中、上記検出手段により投影画像に対する位置指定が移動した場合に、前記一定時間以上同一位置に指定された位置と、前記位置指定の移動に応じて空白エリアを投影する投影制御手段と、
上記レイアウト編集モード設定中、上記検出手段により一定時間以上同一位置が指定された場合に上記レイアウト編集モードを解除するモード解除手段と
を具備したことを特徴とする投影装置。
【請求項２】
上記検出手段により同一位置が指定された場合に追加書込みのためのレイアウト編集モードを設定して移行するモード設定手段は、移動していない時間が所定時間以上継続していることにより移行することを特徴とする請求項１記載の投影装置。
【請求項３】
上記レイアウト編集モード設定中、上記検出手段により同一位置が指定された場合に上記レイアウト編集モードを解除するモード解除手段は、前記追加書込みエリアが変化のない状態が所定時間以上継続していることにより移行することを特徴とする請求項１記載の投影装置。
【請求項４】
上記モード解除手段で上記レイアウト編集モードを解除した状態から、上記空白エリアとなった領域を含めて上記撮影手段により撮影し、その撮影画像を記録する記録手段をさらに具備したことを特徴とする請求項１記載の投影装置。
【請求項５】
上記投影制御手段は、上記検出手段により投影画像に対する位置指定が縦または横方向に移動した場合にその移動に応じて上記投影手段で投影する画像を縦または横方向に縮小させることを特徴とする請求項１記載の投影装置。
【請求項６】
上記投影制御手段は、上記検出手段により投影画像に対する位置指定が斜め方向に移動した場合にその移動に応じて上記投影手段で投影する画像を対応する対角線方向に縮小させることを特徴とする請求項１記載の投影装置。
【請求項７】
入力画像に応じた光像を形成し、投影対象に向けて投影する投影部と、上記投影部の投影する画像を撮影する撮影部とを備えた投影装置での投影方法であって、
上記撮影部で得た撮影画像により投影画像に対する位置指定を検出する検出工程と、
上記検出工程で一定時間以上同一位置が指定された場合に追加書込みのためのレイアウト編集モードを設定して移行するモード設定工程と、
上記レイアウト編集モード設定中、上記検出工程により投影画像に対する位置指定が移動した場合に、前記一定時間以上同一位置に指定された位置と、前記位置指定の移動に応じて空白エリアを投影する投影制御工程と、
上記レイアウト編集モード設定中、上記検出工程により一定時間以上同一位置が指定された場合に上記レイアウト編集モードを解除するモード解除工程と
を有したことを特徴とする投影方法。
【請求項８】
入力画像に応じた光像を形成し、投影対象に向けて投影する投影部と、上記投影部の投影する画像を撮影する撮影部とを備えた投影装置が内蔵するコンピュータが実行するプログラムであって、
上記撮影部で得た撮影画像により投影画像に対する位置指定を検出する検出ステップと、
上記検出ステップで一定時間以上同一位置が指定された場合に追加書込みのためのレイアウト編集モードを設定して移行するモード設定ステップと、
上記レイアウト編集モード設定中、上記検出ステップにより投影画像に対する位置指定が移動した場合に、前記一定時間以上同一位置に指定された位置と、前記位置指定の移動に応じて空白エリアを投影する投影制御ステップと、
上記レイアウト編集モード設定中、上記検出ステップにより一定時間以上同一位置が指定された場合に上記レイアウト編集モードを解除するモード解除ステップと
をコンピュータに実行させることを特徴とするプログラム。
【発明の詳細な説明】
【技術分野】
【０００１】
本発明は、例えばプレゼンテーションに用いるデータプロジェクタ等に好適な投影装置、投影方法及びプログラムに関する。
【背景技術】
【０００２】
従来、パーソナルコンピュータ等と接続してプレゼンテーションを行なうデータプロジェクタ装置が広く一般的に使用されている。
【０００３】
この種のデータプロジェクタ装置において、例えばスクリーンを撮影するデジタルカメラを装備し、デジタルカメラによって撮影された画像からレーザポインタによってスクリーンに照射された特定の形状パターン（マーク）を認識し、この認識された形状パターンに応じた制御処理、例えばマークにより指定された位置の画像の拡大処理などを実行するようにしたものが考えられている。（例えば、特許文献１）
【特許文献１】特開２００４−０７８６８２号公報
【発明の開示】
【発明が解決しようとする課題】
【０００４】
上記特許文献１に記載された技術は、スクリーンに投影された画像に対する制御処理をデータプロジェクタ装置あるいはパーソナルコンピュータに対する直接操作を行なうことなく簡単に実行するべくなされたものであり、ユーザは予め動作させたい内容に対応したマークを予め覚えておき、必要に応じてマークを選択した上でそのマークをスクリーン上に照射させる必要がある。
【０００５】
したがって、ユーザは制御処理の内容に対応した複数のマークを予めすべて覚えておく必要があり、そのための準備が煩雑なものとなる。
【０００６】
本発明は上記のような実情に鑑みてなされたもので、その目的とするところは、煩雑な操作手順やマークの識別等を予め覚えておく必要がなく、より直感的でユーザインターフェイスに優れた制御処理を実行させることが可能な投影装置、投影方法及びプログラムを提供することにある。
【課題を解決するための手段】
【０００７】
請求項１記載の発明は、入力画像に応じた光像を形成し、投影対象に向けて投影する投影手段と、上記投影手段の投影する画像を撮影する撮影手段と、上記撮影手段で得た撮影画像により投影画像に対する位置指定を検出する検出手段と、上記検出手段により一定時間以上同一位置が指定された場合に追加書込みのためのレイアウト編集モードを設定して移行するモード設定手段と、上記レイアウト編集モード設定中、上記検出手段により投影画像に対する位置指定が移動した場合に、前記一定時間以上同一位置に指定された位置と、前記位置指定の移動に応じて空白エリアを投影する投影制御手段と、上記レイアウト編集モード設定中、上記検出手段により一定時間以上同一位置が指定された場合に上記レイアウト編集モードを解除するモード解除手段とを具備したことを特徴とする。
【発明の効果】
【００１７】
本発明によれば、煩雑な操作手順やマークの識別等を予め覚えておく必要がなく、より直感的でユーザインターフェイスに優れた制御処理を実行させることが可能となる。
【発明を実施するための最良の形態】
【００１８】
以下本発明をＤＬＰ（Ｄｉｇｉｔａｌ  Ｌｉｇｈｔ  Ｐｒｏｃｅｓｓｉｎｇ）（登録商標）方式のデータプロジェクタ装置に適用した場合の一実施形態について図面を参照して説明する。
【００１９】
図１は、同実施形態に係るデータプロジェクタ装置１０の外観構成を示す。同図で、データプロジェクタ装置１０は、直方体状の本体ケーシング１１の前面に投影レンズ部１２、撮影レンズ部１３、及びＩｒ受信部１４を配設する。
【００２０】
また、同本体ケーシング１１の上面には、スピーカ１５、インジケータ部１６、及びキー操作部１７を配設する。
【００２１】
投影レンズ部１２は、内部で作成された光像を拡大して投影対象となるスクリーン等に投影するものであり、このデータプロジェクタ装置１０では投影レンズ部１２が合焦位置及びズーム画角（投影画角）を任意に可変できるものとする。
【００２２】
撮影レンズ部１３は、投影レンズ部１２での投影画像範囲を撮影するために設けられる。すなわち撮影レンズ部１３は、このデータプロジェクタ装置１０の標準投影距離、例えば投影レンズ部１２の前方６［ｍ］の位置で投影レンズ部１２の投影光軸と交差するような撮影光軸が設定され、且つ投影レンズ部１２の最大投影画角より若干大きな最大撮影画角を有するものとする。この撮影レンズ部１３も、投影レンズ部１２と同様に合焦位置及び光学的なズーム画角（撮影画角）を任意に可変できるものとし、ＡＦ（自動合焦）機能を有する。
【００２３】
Ｉｒ受信部１４は、図示しないこのデータプロジェクタ装置１０専用のリモートコントローラからの赤外線変調信号を受信する。
【００２４】
上記スピーカ１５は、画像信号と共に入力される音声信号や予めデータプロジェクタ装置１０内に記憶されている音声メッセージ、ビープ音等を拡声放音する。
【００２５】
インジケータ部１６は、電源の投入／切断状態、後述する光源ランプの温度が異常となった場合などを内部に設けたＬＥＤ（発光ダイオード）の点灯／点滅などで表示する。
【００２６】
キー操作部１７は、直接ユーザのキー操作を受付けて各種投影動作を制御するためのもので、例えば電源キー、入力切換えキー、ズームアップ／ダウンキー、ＡＦＫ（Ａｕｔｏ  Ｆｏｃｕｓ／ａｕｔｏｍａｔｉｃ  Ｋｅｙｓｔｏｎｅ  ｃｏｒｒｅｃｔｉｏｎ：自動合焦／自動台形補正）キー、メニューキー、カーソルキー（「↑」「↓」「←」「→」）、エンターキー、キャンセルキー等を備える。
【００２７】
また、本体ケーシング１１の下面前端側の左右両端部には一対の調整脚部１８Ａ，１８Ｂが設けられる。図示はしないが、本体ケーシング１１の下面後端側中央にはもう１本の固定脚部が設けられるもので、計３本の脚部によりデータプロジェクタ装置１０の本体ケーシング１１を支持すると共に、前側に位置する上記調整脚部１８Ａ，１８Ｂの各脚長をそれぞれ調整することにより、投影レンズ部１２での投影光軸の仰角、及び左右の傾きを調整することが可能となる。
【００２８】
なお、ここでは図示しないが、本体ケーシング１１の背面には各種画像信号を入出力するための入出力コネクタ部、上記Ｉｒ受信部１４と同様のＩｒ受信部、盗難防止金具取付部等を備えている。
【００２９】
図２は、上記データプロジェクタ装置１０が備える電子回路の機能構成を示すブロック図である。  
同図で、２１は入出力コネクタ部であり、例えばピンジャック（ＲＣＡ）タイプのビデオ入力端子、ＲＧＢ入力端子、及びＵＳＢ（Ｕｎｉｖｅｒｓａｌ  Ｓｅｒｉａｌ  Ｂｕｓ）端子からなる。
【００３０】
入出力コネクタ部２１より入力される各種規格の画像信号は、入出力インタフェース（Ｉ／Ｆ）２２、システムバスＳＢを介して画像変換部２３で投影に適した所定のフォーマットの画像信号として認識し、必要に応じて適宜変換された後に、投影駆動部２４へ送られる。
【００３１】
この際、ＯＳＤ（Ｏｎ  Ｓｃｒｅｅｎ  Ｄｉｓｐｌａｙ）用の各種キャラクタやポインタ等の記号も必要に応じて画像信号上に重畳加工された状態で投影駆動部２４へ送られる。
【００３２】
投影駆動部２４は、送られてきた画像信号をビデオＲＡＭ２５に展開して記憶させた上で、このビデオＲＡＭ２５の記憶内容からビデオ信号を生成する。投影駆動部２４は、このビデオ信号のフレームレート、例えば６０［フレーム／秒］と画像サイズ、色成分の分割数、及び表示階調数を乗算した、より高速な時分割駆動により、空間的光変調素子（ＳＯＭ）であるマイクロミラー素子２６を表示駆動する。
【００３３】
一方、リフレクタ２７内に配置された、例えば超高圧水銀灯を用いた光源ランプ２８が高輝度の白色光を出射する。光源ランプ２８の出射した白色光は、カラーホイール２９を介して時分割で原色に着色され、インテグレータ３０で輝度分布が均一な光束とされた後にミラー３１で全反射して上記マイクロミラー素子２６に照射される。
【００３４】
そして、マイクロミラー素子２６での反射光で光像が形成され、形成された光像が上記投影レンズ部１２を介して、投影対象となるここでは図示しないスクリーンに投影表示される。
【００３５】
投影レンズ部１２は、図示しないレンズ光学系中にフォーカスレンズ及びズームレンズを有し、それらは共に光軸方向に沿って前後に移動することで制御される。
【００３６】
また、上記光源ランプ２８の点灯駆動、及び上記カラーホイール２９用のモータ（Ｍ）３３の回転駆動をいずれも投影光処理部３４が実行する。
【００３７】
上記各回路の動作すべてを制御部３５が統括して制御する。この制御部３５はＣＰＵで構成されるものであり、動作プログラムや各種定型データ等を記憶した不揮発性メモリでなるプログラムメモリ３６、ワークメモリとして使用するＳＤＲＡＭ（シンクロナスＤＲＡＭ）でなるメインメモリ３７を用いてこのデータプロジェクタ装置１０内の制御動作を実行する。
【００３８】
この制御部３５に対し、操作部３８が接続される。操作部３８は、上記キー入力部１７と、上記Ｉｒ受信部１４及び図示しなかった本体ケーシング１１背面側のＩｒ受信部を含み、ユーザが直接またはリモートコントローラを介して操作したキーに基づくキーコード信号を制御部３５へ直接出力する。
【００３９】
上記制御部３５にはさらに、上記システムバスＳＢを介して音声処理部３９、無線ＬＡＮインタフェース（Ｉ／Ｆ）４０、プロセス回路４１、インジケータ部１６、及び画像記憶部４２が接続される。
【００４０】
音声処理部３９は、ＰＣＭ音源等の音源回路を備え、投影動作時に与えられる音声データをアナログ化し、このデータプロジェクタ装置１０の本体ケーシング１１の上面に設けられた上記スピーカ１５を駆動して拡声放音させ、あるいは必要によりビープ音等を発生させる。
【００４１】
無線ＬＡＮインタフェース４０は、例えばＩＥＥＥ８０２．１１ｂ／ｇ規格に則り、上記制御部３５の制御の下に、無線ＬＡＮアンテナ４３を介して無線ＬＡＮを構成する他の外部機器、例えばパーソナルコンピュータなどから送られてくる画像信号等を選択的に受付けて上記画像変換部２３へ送出する。
【００４２】
プロセス回路４１は、上記撮影レンズ部１３のレンズ光軸上の結像位置に配置された個体撮像素子としてのＣＣＤ（Ｃｈａｒｇｅ  Ｃｏｕｐｌｅｄ  Ｄｅｖｉｃｅ：電荷結合素子）４４からの出力を受け、ＡＧＣ（自動利得制御）、Ａ／Ｄ変換を施した後にガンマ補正、輝度色差系へのマトリックス演算等のカラープロセス処理を実行して撮影画像データを得るもので、得た画像データは制御部３５の制御の下に画像記憶部４２に記憶される。
【００４３】
次に上記実施形態の動作について説明する。  
以下に示す動作は、制御部３５がプログラムメモリ３６から読出した動作プログラムをメインメモリ３７に展開した上で実行するものである。
【００４４】
なお、以下に示すプレゼンテーション動作においては、ユーザが図示しないレーザポインタを用いて適宜投影画像に対するポイント指示を行なうことにより、所定のフレームレート、例えば３０［フレーム／秒］で投影画像を撮影レンズ部１３が周期的に撮影し、撮影画像中から著しく輝度値の高い上記レーザポインタによるポイント位置座標を検出することができると共に、同一ポイント位置が指示されている場合にはその画像フレーム数をカウントすることで、同一ポイント位置での継続時間を判断することができる。
【００４５】
また、以下に示すプレゼンテーション動作においては、投影対象となるスクリーンとしてホワイトボードを使用し、単にデータプロジェクタ装置１０が出射する画像をホワイトボード上に投影するだけではなく、必要に応じてホワイトボード上にユーザが任意の書込みを行なうことで、その書込まれた内容を撮影して記録することができるものとする。
【００４６】
図３は、外部機器、例えばパーソナルコンピュータを入出力コネクタ部２１に接続したデータプロジェクタ装置１０で、電源を投入した後に実行する基本的な投影動作を示すものである。
【００４７】
その当初には、その時点で設定されている投影レンズ部１２の投影画角を確実にカバーするように、撮影レンズ部１３での撮影画角を調整した後（ステップＳ１０１）、入出力コネクタ部２１または無線ＬＡＮアンテナ４３より入力される画像信号に基づいた光像をマイクロミラー素子２６で生成し、投影レンズ部１２より投影対象のスクリーンとなるホワイトボード（図示せず）に向けて照射させる（ステップＳ１０２）。
【００４８】
次いで、この投影画像を撮影レンズ部１３を介してＣＣＤ４４で撮影して画像を取得した上で（ステップＳ１０３）、取得した撮影画像を投影内容と比較し、投影画像側には存在しない、著しく輝度値の高いポイント位置が撮影画像側にあるかどうかを検索し（ステップＳ１０４）、その検索の結果、レーザポインタによるポイント位置を検出することができたか否かを判断する（ステップＳ１０５）。
【００４９】
ここでポイント位置を検出することができないと判断した場合には、引き続きその時点で入出力コネクタ部２１または無線ＬＡＮアンテナ４３より入力される画像信号に基づいた光像を投影するべく上記ステップＳ１０２からの処理を繰返し実行する。
【００５０】
また、上記ステップＳ１０５でレーザポインタによるポイント位置を検出したと判断した場合は、次にその検出位置を一時保持して当該位置での経過時間をカウントした上で、そのポイント位置の指示が一定時間、例えば１秒間以上継続しているか否かによりレーザポインタによるポイント位置が固定的に指示されているか否かを判断する（ステップＳ１０６）。
【００５１】
ここでポイント位置が固定されている時間が一定時間に満たないと判断した場合には、再び上記ステップＳ１０２からの処理を繰返し実行する。
【００５２】
しかして、ステップＳ１０６でレーザポインタによるポイント位置の指示が一定時間継続しており、ポイント位置が固定的に指示されていると判断すると、レイアウト編集モードを設定し、投影画像を固定化する一方で、以後ポイント位置を随時トレースする（ステップＳ１０７）。
【００５３】
このレイアウト編集モードでは、ポイント位置が移動したか否かを判断する（ステップＳ１０８）。ここでポイント位置が移動したと判断した場合には、そのポイント位置の移動に合わせてそれまで投影していた画像を適宜縮小して投影する（ステップＳ１０９）。
【００５４】
また、上記ステップＳ１０８でレーザポインタによるポイント位置が移動していない場合と判断した場合には、移動していない時間をカウントした上でそのカウント値が一定時間、例えば２秒間以上継続しているか否かによりポイント位置が固定的に指示されているか否かを判断する（ステップＳ１１０）。
【００５５】
しかして、ポイント位置が移動していないが、まだ一定時間に達していないと判断した場合には、引き続きステップＳ１０８からの処理に戻って、ポイント位置が移動していない時間のカウントを続行する。
【００５６】
図４は、上記のようにスクリーンのホワイトボードに対し、投影画像中の１点を一定時間だけレーザポインタによりポイント指示してレイアウト編集モードを設定した上で、そのままポイント位置を移動させることで、あたかもパーソナルコンピュータのマウス操作におけるドラッグを模して投影画像を縮小させる制御の一例を示すものである。
【００５７】
同図では、通常の投影により投影レンズ部１２による矩形の基本投影エリアＢＡ全体を使って画像の投影を行なっている状態で、投影画像中の任意の一点Ｐを図示する如く一定時間だけレーザポインタによりポイント指示することで、上述した如くレイアウト編集モードが設定される。
【００５８】
そして、レイアウト編集モードが設定された状態でそのままレーザポインタによるポイント位置を図中に矢印Ｄに示す如く移動させることで、その移動方向と移動量とに応じて図５に示すようにそれまで投影していた画像を縦方向に縮小したように投影させると共に、空白の追加書込みエリアＷＡを現出させる。
【００５９】
これは、投影駆動部２４がマイクロミラー素子２６で形成する光像を加工することで実現するものであり、それまで投影していた画像を縦方向に縮小した画像をマイクロミラー素子２６で形成すると共に、その縮小によって得られる領域を全原色成分ともフル階調の画像とすることで、縮小に得られた追加書込みエリアＷＡを白色で表現できるものとなる。
【００６０】
上記図４では、基本投影エリアＢＡ中の上下方向でやや中央、左右方向でほぼ左端側に位置する点Ｐからそのまま矢印Ｄで示す如く画像の下方向にポイント位置を移動させるものとしたので、図５に示すようにその移動に合わせて、初めの点Ｐの位置から移動した分だけ下側に追加書込みエリアＷＡを作成するものとした。
【００６１】
これとは別に、図６に示す如く、基本投影エリアＢＡの上端及び下端に点Ｐを位置させてレイアウト編集モードを設定し、そのまま基本投影エリアＢＡの上端から下方向へ、下端から上方向へそれぞれポイント位置を移動させることで、基本投影エリアＢＡの上端側及び下端側に共に追加書込みエリアＷＡを作成させることも同様に可能となる。
【００６２】
さらに、図７では、基本投影エリアＢＡの左下端近傍に点Ｐを位置させてレイアウト編集モードを設定し、そのまま矢印Ｄで示す斜め右上方向へポイント位置を移動させることで、投影画像の対角線方向を縮小するものとして基本投影エリアＢＡの右上側に投影画像を縮小し、基本投影エリアＢＡの左端側及び下端側の２辺に沿ったＬ字状の追加書込みエリアＷＡを作成させた場合を例示している。
【００６３】
しかして、上記のようにステップＳ１０８，Ｓ１０９の処理を繰返してポイント位置の移動に伴う投影画像の縮小と追加書込みエリアＷＡの生成とを順次行なった後、基本投影エリアＢＡ中で必要な追加書込みエリアＷＡを確保することができたものとして、ポイント位置を一定時間停止させると、上記ステップＳ１１０でこれを判断して、それまで設定していたレイアウト編集モードを解除すると共に、引き続き撮影レンズ部１３、ＣＣＤ４４を介して基本投影エリアＢＡの撮影を続行することで、空白として投影している追加書込みエリアＷＡでの書込み状態を検出し続ける（ステップＳ１１１）。
【００６４】
その後、追加書込みエリアＷＡにおける画像の内容が随時変化しているか否かを時系列的に比較判断することで、追加書込みエリアＷＡでの書込みがあるか否かを判断し（ステップＳ１１２）、あると判断した場合は再びこのステップＳ１１２の処理に戻ることで、書込みがなされている間はこのステップＳ１１２の処理を繰返す。
【００６５】
そして、書込みがなくなった時点でステップＳ１１２によりこれを判断し、次いで追加書込みエリアＷＡの状態が一定時間、例えば１０秒間変化がないかどうかを判断し（ステップＳ１１３）、まだ一定時間に達していない場合には再び上記ステップＳ１１２からの処理に戻る。
【００６６】
しかして、上記一定時間何の書込みもなされず、変化がないと、上記ステップＳ１１３でこれを判断し、その時点で書き込まれた内容を保存するべくあらためて元の基本投影エリアＢＡの範囲全体をＣＣＤ４４で適正な露光条件で撮影し、その撮影画像をデータファイル化して画像記憶部４２に記録する（ステップＳ１１４）。
【００６７】
以上で一連の動作を一旦終了するものとして、上記ステップＳ１０２からの処理に戻り、再び入出力コネクタ部２１または無線ＬＡＮアンテナ４３から入力される画像信号に応じた投影状態に復帰する。
【００６８】
このように本実施形態によれば、煩雑な操作手順やマークの識別等を予め覚えておく必要がなく、より直感的でユーザインターフェイスに優れた投影画像に対する制御処理を実行させることが可能となる。
【００６９】
加えて上記実施形態では、投影画像を縮小することで生成された追加書込みエリアＷＡに書込まれた内容を自動的に撮影し、その撮影画像を画像記憶部４２に記録するものとしたので、プレゼンテーション等での結果を容易に記録して後に活用することが可能となる。
【００７０】
なお上記実施形態では、図４乃至図６で示した如く、投影画像の縮小に際して点位置を縦方向に移動させることで投影画像をそのまま縦方向に縮小するものとした。
【００７１】
このように、縦方向あるいは横方向にポイント位置を移動することで、投影画像をそのまま縦方向あるいは横方向に縮小するものとすれば、ユーザは必要な操作をきわめて理解し易いものとなり、より一層ユーザフレンドリーなインターフェイスとなる。
【００７２】
また上記実施形態では、上記図７で示した如く、矩形の角部をポイント位置として指定した後に斜め方向に移動させることにより、その移動に応じて投影画像を対応する対角線方向に縮小させるものとしたので、ユーザインターフェイス上も非常に理解し易い上に、縦方向及び横方向を独立して実行する場合に比べて所望する大きさの投影画像を得るまでの時間を大幅に短縮することができる。
【００７３】
さらに上記実施形態では、ポイント位置の移動に際して随時投影画像を縮小していくものとして説明したが、本発明はこれに限らず、図８に示すように基本投影エリアＢＡ中の点Ｐの位置を自由に移動させ、その開始位置Ｐ１と終着位置Ｐ２を図中に矢印Ｄで示す如く直線で結ぶことにより縮小後の投影画像の位置を指定して、その周囲を追加書込みエリアＷＡとするものとしてもよい。
【００７４】
なお、上記実施形態はいずれもポイント位置の移動により縮小率を順次変化させる場合について説明したが、予め投影画像の縮小率を一意に設定し、縮小後の投影画像の位置を指示するだけで投影がその縮小率での縮小を実行するものとしてもよい。
【００７５】
こうすることで、ポイント位置の指定がより容易になると共に、確実に追加書込みエリアＷＡを確保することができる。
【００７６】
その場合、さらに複数の縮小率の候補から１つを選択するものとすれば、その状況に応じて必要な追加書込みエリアＷＡの面積を自由に選択できる。
【００７７】
なお、上記実施形態では、レーザポインタにより基本投影エリアＢＡ内の任意の位置を一定時間固定的にポイント指示することでレイアウト編集モードの設定と解除を行なうものとして説明したが、本発明はこれに限るものではない。
【００７８】
例えば、データプロジェクタ装置のリモートコントローラがレーザポインタの機能も有するものであれば、レーザポインタとして基本投影エリアＢＡ内の任意の位置をポイント指示する過程でそのリモートコントローラの所定のキー、例えば「Ｅｎｔｅｒ」キーを合わせて操作することで一般的なマウスにおけるドラッグ操作としてレイアウト編集モードの設定及び解除をより容易にデータプロジェクタ装置１０側で判断することができる。
【００７９】
また、上記基本投影エリアＢＡ内のポイント位置指定はレーザポインタで行なう場合だけでなく、ユーザ自身の手指で行なうものとしてもよい。その場合、投影レンズ部１２より投影する画像と撮影レンズ部１３より撮影する画像とのマッチングにより撮影画像中から、例えば「人差し指のみを伸ばした手首から先の画像」の形状パターンを抽出して人差し指の先端位置をポイント位置として認識することで、同様にポイント位置の指定を行なうことができる。
【００８０】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件により適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００８１】
【図１】本発明の一実施形態に係るデータプロジェクタ装置の外観構成を示す斜視図。
【図２】同実施形態に係る電子回路の概略機能構成を示すブロック図。
【図３】同実施形態に係る電源投入後の主としてレイアウト編集モード時の処理内容を示すフローチャート。
【図４】同実施形態に係る投影画像とその投影画像に対するポイント操作の内容を例示する図。
【図５】同実施形態に係る投影画像とその投影画像に対するポイント操作の内容を例示する図。
【図６】同実施形態に係る投影画像とその投影画像に対するポイント操作の内容を例示する図。
【図７】同実施形態に係る投影画像とその投影画像に対するポイント操作の内容を例示する図。
【図８】同実施形態に係る投影画像とその投影画像に対するポイント操作の他の内容を例示する図。
【符号の説明】
【００８２】
１０…データプロジェクタ装置、１１…本体ケーシング、１２…投影レンズ部、１３…撮影レンズ部、１４…Ｉｒ受信部、１５…スピーカ、１６…インジケータ部、１７…キー操作部、１８Ａ，１８Ｂ…調整脚部、２１…入出力コネクタ部、２２…入出力インタフェース（Ｉ／Ｆ）、２３…画像変換部、２４…投影駆動部、２５…ビデオＲＡＭ、２６…マイクロミラー素子（ＳＯＭ）、２７…リフレクタ、２８…光源ランプ、２９…カラーホイール、３０…インテグレータ、３１…ミラー、３３…モータ（Ｍ）、３４…投影光処理部、３５…制御部（ＣＰＵ）、３６…プログラムメモリ、３７…メインメモリ、３８…操作部、３９…音声処理部、４０…無線ＬＡＮインタフェース（Ｉ／Ｆ）、４１…プロセス回路、４２…画像記憶部、４３…無線ＬＡＮアンテナ、４４…ＣＣＤ、ＢＡ…基本投影エリア、Ｄ…ドラッグ、Ｐ…ポインタ、ＳＢ…システムバス、ＷＡ…追加書込みエリア。
【図１】
0005446085.tif 000002
【図２】
0005446085.tif 000003
【図３】
0005446085.tif 000004
【図４】
0005446085.tif 000005
【図５】
0005446085.tif 000006
【図６】
0005446085.tif 000007
【図７】
0005446085.tif 000008
【図８】
0005446085.tif 000009